(57)【要約】【課題】  無線ＬＡＮインターフェースを用いた通信が可能な領域への入退場の際に、利用者自身が手動で第２通信モードと第１通信モードとの切り替えを行うことなく、自動で切り替えを行う携帯情報通信端末を提供すること。【解決手段】本発明は、無線ＬＡＮネットワークを用いて通信を行う第１通信モードと携帯電話ネットワークを用いて通信を行う第２通信モードを有する携帯情報通信端末において、無線ＬＡＮネットワーク内で第１通信モードでの通信を行うために必要な環境設定情報を得て、記憶手段に記録する読み取り部と、第１通信モードの領域に入ったとき、及び第１通信モードの領域から出たときに、切り替え部が環境設定情報に基づいて第２通信モードと第１通信モードとの切り替えを行う切り替え部とを備えることで、利用者自身が意識することなく自動で通信モード切り替えを行う。【選択図】  図１
2009088946.tif 000002
【特許請求の範囲】
【請求項１】
無線ＬＡＮネットワークを用いて通信を行う第１通信モードと携帯電話ネットワークを用いて通信を行う第２通信モードを有する携帯情報通信端末において、
前記無線ＬＡＮネットワーク内で前記第１通信モードでの通信を行うために必要な環境
設定情報を得て、記憶手段に記録する読み取り部と、
前記第１通信モードの領域に入ったとき、前記環境設定情報に基づいて前記第２通信モードから前記第１通信モードへの切り替えを行う切り替え部と、を備える
ことを特徴とする携帯情報通信端末。
【請求項２】
前記切り替え部は、前記第１通信モードの領域から出たとき、前記第１通信モードから前記第２通信モードに切り替える
ことを特徴とする請求項１に記載の携帯情報通信端末。
【請求項３】
前記読み取り部は、前記第１通信モードの領域から出たとき、前記環境設定情報を前記記憶手段から削除する
ことを特徴とする請求項２に記載の携帯情報通信端末。
【請求項４】
前記読み取り部は、前記第１通信モードの領域に入ったことを第１のタグを介して検出する
ことを特徴とする請求項１に記載の携帯情報通信端末。
【請求項５】
前記読み取り部は、前記第１通信モードの領域から出たことを第２のタグを介して検出する
ことを特徴とする請求項２及び請求項３に記載の携帯情報通信端末。
【請求項６】
前記第２通信モードから前記第１通信モードへの切替は、前記携帯情報通信端末が前記
無線ＬＡＮネットワーク内における使用を許可されていたときに行われること
を特徴とする請求項１に記載の携帯情報通信端末。
【請求項７】
前記第１のタグあるいは前記第２のタグから前記環境設定情報を得る際に無線通信方式を用いる
ことを特徴とする請求項４乃至請求項６に記載の携帯情報通信端末。
【請求項８】
前記第１のタグあるいは前記第２のタグから前記環境設定情報を得る際に二次元バーコードを用いる
ことを特徴とする請求項４乃至請求項６に記載の携帯情報通信端末。
【請求項９】
無線ＬＡＮネットワークを用いて通信を行う第１通信モードと携帯電話ネットワークを用いて通信を行う第２通信モードでの通信を提供する通信システムであって、
携帯情報通信端末が前記無線ＬＡＮネットワーク内で前記第１通信モードでの通信を行
うために必要となる環境設定情報をアクセスポイント及び前記携帯情報通信端末が第１の
タグから得て登録し、
前記携帯情報通信端末が、前記第２通信モードから前記第１通信モードに切り替える
ことを特徴とする情報通信システム。
【請求項１０】
管理サーバが、前記携帯情報通信端末が予め使用を許可されている端末であると判定し
た場合に、前記環境設定情報を前記アクセスポイント及び前記携帯情報通信端末に設定す
る
ことを特徴とする請求項９に記載の情報通信システム。
【請求項１１】
前記携帯情報通信端末は前記無線ＬＡＮネットワークから出たことを第２のタグから得たとき、
前記通信方式を前記第１通信モードからに前記第２通信モードに切り替える
ことを特徴とする請求項９および請求項１０に記載の情報通信システム。
【請求項１２】
前記携帯情報通信端末は前記無線ＬＡＮネットワークから出たことを第２のタグから得たとき、
前記管理サーバが、前記環境設定情報を前記アクセスポイント及び前記携帯情報通信端末に設定から削除する
ことを特徴とする請求項１０に記載の情報通信システム。
【請求項１３】
前記携帯情報通信端末及び前記アクセスポイントが無線通信方式を用いて前記第１のタグあるいは前記第２のタグから前記環境設定情報を得る
ことを特徴とする請求項９乃至１２に記載の情報通信システム。
【請求項１４】
前記携帯情報通信端末及び前記アクセスポイントが二次元コードを用いて前記第１のタグもしくは前記第２のタグに登録された前記環境設定情報を得る
ことを特徴とする請求項９乃至１２に記載の情報通信システム。
【発明の詳細な説明】
【技術分野】
【０００１】
本発明は、携帯情報通信端末に関し、特にマルチバンドの携帯情報通信端末に関する。
【背景技術】
【０００２】
昨今の通信事業においては、携帯電話を家庭のコードレス電話の子機や企業の内線電話として利用したり、携帯電話で固定電話の安い通話料金を享受したり、異なるベアラ（通信方式）間での通信をシームレスに切り替え、社内外のどこにいても一台の携帯電話で連絡がつくなどのサービスを享受することができるＦＭＣ（Fixed Mobile   Convergence）サービスに対する期待が日増しに高まっている。
【０００３】
このＦＭＣサービスの実現に際しては、移動体通信方式と他通信方式のように少なくとも２つ以上のベアラ（通信方式）をサポートする端末が必須であり、携帯電話事業者、携帯電話機開発メーカーは、ユーザのニーズを満たすマルチバンド携帯電話機の開発に注力している。
【０００４】
これまでに世の中に供給されているマルチバンド携帯電話機は、無線ＬＡＮ通信を行うためには、無線LANサービス提供側及び無線ＬＡＮ利用者の双方において所定の設定を事前に施しておく必要がある。即ち、無線LANサービス提供側のサーバもしくはアクセスポイントには、接続を許可するマルチバンド携帯電話機の識別情報を予め登録しておく必要があり、無線ＬＡＮサービスを享受する側のマルチバンド携帯電話機内部には接続する無線LANエリアで使用する暗号化キー等の無線LAN設定情報を予め設定しておく必要がある。
【０００５】
また、マルチバンド携帯電話機の利用者は、通常は携帯電話通信網内において、携帯電話基地局との間で、携帯電話無線インタフェースを用いた通信で行ない、無線LAN通信可能エリアにいる時、利用者自身が無線LAN通信モードへの切り替え操作を手動で行うことにより、無線LANインタフェースを用いた通信を可能としている。
【０００６】
昨今のＩＰ電話などのように、無線LANインタフェースを用いた通信は、携帯電話無線インタフェースを用いて通信する場合のそれと異なる安価な通信料金設定がされており、利用者にとってのメリットは大きい。従い、その利便性をさらに高めるためには、マルチバンド携帯電話機が無線LAN許可エリアに入った時点で、ユーザが意識することなく携帯電話無線インタフェースから無線LANインタフェースに自動で切替えるといった、いわゆるシームレスハンドオーバーの機能が所望されているが、端末及びネットワークにおける規格の統一化が必要であり、実現に向けては、課題が山積している。
【０００７】
また、現状広く行われている無線ＬＡＮサービスの提供形態として、ホットスポットサービスが挙げられる。これは、予め無線ＬＡＮ事業者に登録しているユーザが無線ＬＡＮ事業者が駅や飲食店等の施設内にあらかじめ用意した所定の無線ＬＡＮエリアにおいて無線ＬＡＮ通信を用いた通信を享受できるというものである。しかしながら、ホットスポットサービスにおいては、個々のユーザが無線ＬＡＮ事業者から提供された登録情報を、利用者があらかじめマルチバンド携帯電話機に設定しておく必要があるが、手順が複雑であり、ビジネスマンをはじめとする限られた人にしか利用されていないというのが実状である。
【０００８】
このような情報の設定を容易に行うための技術として、特許文献１には、端末と無線LANアクセスポイント間の無線ＬＡＮで用いる暗号鍵の設定情報をＲＦＩＤタグに登録しておき、ＲＦＩＤリーダ機能と無線ＬＡＮインターフェースを持つ端末と、ＲＦＩＤリーダ機能を持つ無線ＬＡＮアクセスポイントを近づけることで、暗号鍵の設定情報をＲＦＩＤタグから読み込ませ、両者の間で使用される暗号鍵の設定を容易に行う技術が述べられている。
【特許文献１】特開２００５−１４２９０７
【発明の開示】
【発明が解決しようとする課題】
【０００９】
しかしながら、特許文献１に開示された技術は、無線ＬＡＮ通信に必要な設定情報が複雑であるという課題に対し、必要な設定情報の端末への設定をＲＦＩＤを介して容易に行うことを目的とするものであり、実際に無線ＬＡＮインターフェースを用いた通信を行うときには、利用者自身が手動でモードを切り替える必要がある。即ち、所定のエリアに入った際に通信モードを自動で切り替えるというものではない。
【課題を解決するための手段】
【００１０】
本発明による携帯情報通信端末は、無線ＬＡＮネットワークを用いて通信を行う第１通信モードと携帯電話ネットワーク  を用いて通信を行う第２通信モードを有する携帯情報通信端末において、無線ＬＡＮネットワーク内で第１通信モードでの通信を行うために必要な環境設定情報を得て、記憶手段に記録する読み取り部と、第１通信モードの領域に入ったとき、切り替え部が環境設定情報に基づいて第２通信モードから第１通信モードへの切り替えを行う切り替え部と、を備えることを特徴とする。
【発明の効果】
【００１１】
本発明により、無線ＬＡＮが設置される施設内において、無線ＬＡＮ環境設定情報のマルチバンド携帯電話機ならびにアクセスポイントにおける設定登録、削除を動的に行うことを可能とすると共に、無線ＬＡＮ通信インターフェースと携帯電話無線インターフェース間の自動切換えを提供することを特徴とする。
【発明を実施するための最良の形態】
【００１２】
以下、添付した図面を参照して本発明の実施の形態について説明する。
【００１３】
図１は、本発明の実施形態に係るマルチバンド携帯電話機におけるＲＦＩＤを用いる通信切り替え方式を説明する上で必要なシステム構成を示す図である。施設１には、無線ＬＡＮアクセス用の設備として、管理サーバ２、管理用端末３、インターネット接続ＧＷ１２、無線LANアクセスポイント８、入場検出用ＲＦＩＤタグ５、退場検出用ＲＦＩＤタグ７を備えている。
【００１４】
管理サーバ２は、無線ＬＡＮ利用者が無線ＬＡＮ設備を利用するにあたって必要なＷＥＰキーを管理する。管理用端末３は無線ＬＡＮ管理者が管理サーバ２へのデータ投入を行う端末である。インターネット接続ＧＷ１２は、インターネット接続を行うためのゲートウェイである。無線LANアクセスポイント８は、マルチバンド携帯電話機６とは無線ＬＡＮインターフェース９で接続されている。
【００１５】
図２は、予約時の手順を示すシーケンス図である。ステップ１において、利用者が電話／インターネットで施設１に施設利用予約を申し込むと、管理者がステップ２において、利用者の携帯電話番号や利用期間を管理用端末３で登録操作を行う。このデータはステップ３により管理サーバ２に通知される。次にステップ４において、管理サーバ２は、管理用端末３から通知されたデータを登録する。
【００１６】
図３−１、図３−２は、入場時の手順１を示すシーケンス図である。ステップ１でマルチバンド携帯電話機６は施設１内に設置された入場用ＲＦＩＤタグ５を検出し、ステップ２において入場検出用ＲＦＩＤタグ５からＷｅｂサーバ１４のアクセス用ＵＲＬと施設ＩＤを読み出す。ステップ３において、マルチバンド携帯電話機６は、このアクセス用ＵＲＬと施設ＩＤを用いて、Ｗｅｂサーバ１４にアクセスし、ステップ４においてＷｅｂサーバ１４から管理サーバのＵＲＬと施設１内の全ての無線LANアクセスポイント８との通信を行うために必要な設定情報を得る。尚、ここでは、Ｗｅｂサーバ１４を介して管理サーバ２のＵＲＬと設定情報を得ることとしているが、これらの情報を入場用ＲＦＩＤタグに登録しておき、ステップ２においてマルチバンド携帯電話機６が読み出すこととしても構わない。
【００１７】
次にマルチバンド携帯電話機６はステップ５において管理サーバ２に対して携帯電話番号及びＭＡＣアドレスなどのデータの登録を指示する。ここでは、ＭＡＣアドレスを例としているが、端末を一意に特定できるものであれば、他のデータでもよく、携帯電話番号のみでも構わない。
【００１８】
管理サーバ２は、ステップ６において、端末情報登録応答として、設定が必要なデータをマルチバンド携帯電話機６に通知し、マルチバンド携帯電話機６はステップ７において設定を行う。この手順により、施設１内のローカル無線ＬＡＮアクセスが可能となる。
【００１９】
ステップ８において利用者がチェックイン手続きなどの施設利用手続きを済ませると、ステップ９において管理用端末３から管理サーバ２に対して携帯電話番号の登録指示が発行される。次に管理サーバ２は、利用者が保持するマルチバンド携帯電話機６が無線ＬＡＮ通信を行うのに必要なＷＥＰキーをステップ１０にて払い出す。次に、その携帯電話番号が施設管理者により予め登録された番号であるか否か、ステップ１１において確認を行う。
【００２０】
携帯電話番号が管理サーバ２に登録されていない番号であれば、ステップ１２によりマルチバンド携帯電話機６にチェックＮＧを通知する。ステップ１１において携帯電話番号が見つかった場合は、ステップ１３により管理サーバ３から無線ＬＡＮアクセスポイント８に対し、携帯電話番号とＷＥＰキーの登録が指示され、ステップ１４において無線LANアクセスポイント８がＷＥＰキーを登録する。
【００２１】
ステップ１５において、その結果が管理サーバ２に返却されると共に、ステップ１６によりマルチバンド携帯電話機６に認証結果が通知される。ステップ１７において、マルチバンド携帯電話機６で端末情報登録応答の結果を参照し、正常応答であればステップ１８によりＷＥＰキーをマルチバンド携帯電話機６内に登録する。これらの手順により、外部アクセスを含めたインターネットアクセスが許容される。尚、ステップ１７の判定がＮＧであれば、マルチバンド携帯電話機６は、ローカル無線ＬＡＮの設定並びに動作を継続する。
【００２２】
図４は、退場時の手順１を示すシーケンス図である。退場検出用ＲＦＩＤタグ７は退場ゲートに設置されている。ステップ１でマルチバンド携帯電話機６は施設１内に設置された退場用ＲＦＩＤタグ７を検出し、ステップ２において管理サーバのアクセス用ＵＲＬを読み出す。次にマルチバンド携帯電話機はステップ３において管理サーバ２に端末情報削除指示を発行する。次に管理サーバ２は、その携帯電話番号が施設管理者により予め登録された番号であるか否か、ステップ４において確認を行う。携帯電話番号が管理サーバ２に存在しなければ、ステップ５によりマルチバンド携帯電話機６にＮＧを通知する。
【００２３】
ステップ４において携帯電話番号が登録済み番号と一致すれば、ステップ６において管理サーバ２はアクセスポイント８に対してデータの削除を指示する。アクセスポイント８は、この指示を受け、ステップ７においてデータを削除し、その結果をステップ８において管理サーバ２に通知する。管理サーバ２は、この結果をステップ９によりマルチバンド携帯電話機６に通知する。ステップ１０において、携帯電話機は管理サーバ２から通知された結果を参照し、正常応答であればステップ１１において設定情報を削除し、ステップ１２において、通信モードを無線ＬＡＮ通信モードから携帯電話通信モードに切り替える。
【００２４】
この通信モード切替動作により、携帯電話無線インターフェースを用いた通信が可能となる。尚、ステップ１０においてチェック結果が異常であった場合、マルチバンド携帯電話機６はその旨画面に表示し、ローカル無線ＬＡＮ利用の状態を継続させる。
【００２５】
図５は、入場時の手順２を示すシーケンス図である。ステップ１でマルチバンド携帯電話機６は施設１内に設置された入場用ＲＦＩＤタグ５を検出し、ステップ２において入場検出用ＲＦＩＤタグ５からＷｅｂサーバ１４のアクセス用ＵＲＬと施設ＩＤを読み出す。ステップ３において、マルチバンド携帯電話機６は、このアクセス用ＵＲＬと施設ＩＤを用いて、Ｗｅｂサーバ１４にアクセスし、ステップ４においてＷｅｂサーバ１４から管理サーバのＵＲＬと施設１内の全ての無線LANアクセスポイント８との通信を行うために必要な設定情報を得る。尚、ここでは、Ｗｅｂサーバ１４を介して管理サーバ２のＵＲＬと設定情報を得ることとしているが、これらの情報を入場用ＲＦＩＤタグに登録しておき、ステップ２においてマルチバンド携帯電話機６が読み出すこととしても構わない。
【００２６】
次にマルチバンド携帯電話機６はステップ５において管理サーバ２に対して端末情報
登録指示を発行する。管理サーバ２は、その携帯電話番号が施設管理者により予め登録された番号であるか否か、ステップ６において確認を行う。登録がされていなければ、ステップ７によりマルチバンド携帯電話機６に通知する。もしくは、施設利用申し込みがその場でなされるのであれば、ここで管理用端末３から携帯電話番号を登録し、ステップ８以降の手順に進めることも可能である。ステップ６において携帯電話番号が登録済み番号と一致すれば、利用者が保持するマルチバンド携帯電話機が無線ＬＡＮ通信を行うのに必要なＷＥＰキーがステップ８で管理サーバ２により払い出される。ステップ９において管理サーバ２はアクセスポイント８に対して利用ユーザの保有するマルチバンド携帯電話機の携帯電話番号、ＭＡＣアドレス、及びＷＥＰキーなどのデータの登録を指示する。ここでは、ＭＡＣアドレスを例としているが、端末を一意に特定できるものであれば、他のデータでもよく、携帯電話番号のみでも構わない。
【００２７】
アクセスポイント８は、ステップ９による指示を受け、ステップ１０においてデータを登録し、その結果をステップ１１において管理サーバ２に通知する。管理サーバ２は、この結果をステップ１２によりマルチバンド携帯電話機６に通知する。ステップ１３において、マルチバンド携帯電話機６はその結果をチェックし、正常応答であればステップ１４において設定情報を自身の記憶領域に登録し、ステップ１５において、通信モードを携帯電話通信モードから無線ＬＡＮ通信モードに切り替える。この通信モード切替動作により、施設１内のローカル無線ＬＡＮアクセスが可能となる。尚、ステップ１３においてチェック結果が異常であった場合、マルチバンド携帯電話機６は施設側において手続きが不完全であった旨の表示を行い、携帯電話網通信モードを継続させる。
【００２８】
図６は、退場時の手順１を示すシーケンス図である。退場検出用ＲＦＩＤタグ７は退場ゲートに設置されている。ステップ１でマルチバンド携帯電話機６は施設１内に設置された退場用ＲＦＩＤタグ７を検出し、ステップ２において管理サーバのアクセス用ＵＲＬを読み出す。次にマルチバンド携帯電話機はステップ３において管理サーバ２に端末情報削除指示を発行する。次に管理サーバ２は、その携帯電話番号が施設管理者により予め登録された番号であるか否か、ステップ４において確認を行う。携帯電話番号が管理サーバ２に存在しなければ、ステップ５によりマルチバンド携帯電話機６にＮＧを通知する。
【００２９】
ステップ４において携帯電話番号が登録済み番号と一致すれば、ステップ６において管理サーバ２はアクセスポイント８に対してデータの削除を指示する。アクセスポイント８は、この指示を受け、ステップ７においてデータを削除し、その結果をステップ８において管理サーバ２に通知する。管理サーバ２は、この結果をステップ９によりマルチバンド携帯電話機６に通知する。ステップ１０において、携帯電話機は管理サーバ２から通知された結果を参照し、正常応答であればステップ１１において設定情報を削除し、ステップ１２において、通信モードを無線ＬＡＮ通信モードから携帯電話通信モードに切り替える。
【００３０】
この通信モード切替動作により、携帯電話無線インターフェースを用いた通信が可能となる。尚、ステップ１０においてチェック結果が異常であった場合、マルチバンド携帯電話機６はその旨画面に表示し、無線ＬＡＮ利用の状態を継続させる。
【００３１】
上述の実施例においては、エリア内に入ったことの検出ならびに各種データの読み出しの契機をマルチバンド携帯電話機６が入場用ＲＦＩＤ５もしくは退場用ＲＦＩＤタグ７をかざすこととしているが、ＲＦＩＤでなくとも、ＱＲコードの読み取り、赤外線通信を用いたデータの読み出しなど、いかなるものと差し替えても構わない。
【００３２】
図７は、携帯電話機のブロック構成図を示すものである。携帯電話機は、送受信回路／スピーカ、携帯電話無線インターフェース回路、インターフェース切替回路、無線ＬＡＮ暗号化機能、無線ＬＡＮインターフェース回路、ＲＦＩＤリーダ機能、ＣＰＵ、メモリを備える。
第１適用例
【００３３】
本願をホテルの宿泊者向けのサービスに適用する場合には、ホテルの出入り口に無線ＬＡＮアクセスポイントの設定方式を記憶したＲＦＩＤタグが設置されており、第一段階としてホテル内に入場した全ての人々にホテル内ローカルＬＡＮ内のＷｅｂアクセスなど限られた範囲のサービスを提供することができる。
第二段階として、宿泊や食事などホテルの施設を利用する人々に対しては、チェックイン時あるいはオーダー時等を契機として、インターネットアクセスや各種通信など第一段階より品質の高いサービスを提供することができる。
本適用例の手順は、図３−１、３−２及び図４に示すシーケンスを用いることで、実現可能である。
第２適用例
【００３４】
本願をホテルの宿泊者向けのサービスに適用する場合には、第１実施例における第一段階のサービス提供をやめ、宿泊や食事などホテルの施設を利用する人々に対して提供するは、第二段階のサービスに限定することも可能である。
本適用例の手順は、図５及び図６に示すシーケンスを用いることで、実現可能である。
第３適用例
【００３５】
本願を企業内に適用する場合には、企業施設の入場ゲートに無線ＬＡＮアクセスポイントの設定方式を記憶したＲＦＩＤタグが設置されており、企業の従業員が入場する際に、マルチバンド携帯電話機をＲＦＩＤタグにかざすことで、企業施設内の無線ＬＡＮアクセスポイントの設定情報を読み込むことが可能となる。
【００３６】
企業においては、複数ある部門毎に、無線ＬＡＮアクセスポイントの設定方式が異なる場合がある。無線ＬＡＮインタフェースを持つマルチバンド携帯電話機で従来のように無線ＬＡＮアクセスポイントの設定方式を携帯電話機内部に予め記憶しておく方式では、施設内の全ての部門の無線ＬＡＮアクセスポイントの設定方式を統一しておく必要が生じる。
【００３７】
無線ＬＡＮアクセスポイントの設定方式を各部門で統一することは、無線ＬＡＮアクセスポイントの設定方式を変更する時には、全ての部門で同時に変更する必要が生じることになり、非効率的である。また、セキュリティの面で好ましくない。本願発明の実施例によれば部門毎に異なる無線ＬＡＮアクセスポイントの設定方式にすることが可能であり、各部門の設備を変更する際に全ての部門を同時に変更しなくてもよく、効率的である。また各部門の設定方式が異なればセキュリティの面で好ましい。
【００３８】
このように同一施設内に設置してあった場合であっても、各無線ＬＡＮアクセスポイントの管理が個々に独立している場合であっても、本願により共通処理として行うことができる。
【００３９】
また、携帯電話番号毎に設定可能なアクセスポイントに制限を持たすことにより、アクセス制限を行うことができる。
【その他の効果】
【００４０】
従来の手順においては、無線LANアクセスポイント毎に異なる無線LAN設定をマルチバンド携帯電話機に設定しておく必要がある。しかしながら、このように無線LAN設定情報を予めマルチバンド携帯電話機に記憶しておく方法においては、施設内あるいは拠点間において、無線LANアクセスポイントの無線LAN設定方法を統一しておく必要があり、独立性が保たれないという制約が生じる。これに対し、本願発明は、施設内に無線LAN設定情報を記憶したRFIDタグを設置し、RFIDリーダ機能を持つマルチバンド携帯電話機で無線LAN設定情報を読み込むため、マルチバンド携帯電話機に無線LAN設定情報を予め記憶しておかなくても良い。また、施設内の各無線LANアクセスポイントの無線LAN設定方式を統一しなくても良い。
【００４１】
本願を用いることで、ある無線ＬＡＮエリアを利用する必要がなくなった場合に、当該無線ＬＡＮ設定情報を手動で解除する仕組みを設けることも可能である。
【００４２】
また、入場の際に自動で無線ＬＡＮの設定を行うことについて上記実施例、適用例にて説明したが、退場の際に、無線ＬＡＮの設定を消去することを自動で行っても良い。これは、マルチバンド携帯電話機がエリア外に出たことを検出し（例えば退場用ＲＦＩＤにタッチする等）、使用できなくなった無線ＬＡＮ設定を削除することによって実現することができる。これによって携帯電話機の無線ＬＡＮ設定の領域がなくなってしまうこと及び、ホテル等の利用後サービスを受けることができなくなっているにもかかわらず、無線ＬＡＮの設定が残っていることによって当該無線ＬＡＮに接続できてしまう（ただ乗り）等の問題をも解決することができる。
【００４３】
なお、管理サーバを配置し、施設内の無線ＬＡＮアクセスポイントを使用した無線ＬＡＮ通  信を許可する施設利用者であるか否かを判断することにより、所定の設定動作を行った  ユーザ全てではなく、施設側が設けた条件を満たすユーザのみに使用を制限させることが可能となる。
【図面の簡単な説明】
【００４４】
【図１】本願のシステム構成図
【図２】予約時の手順を示すシーケンス
【図３−１】入場時の手順１を示すシーケンス
【図３−２】入場時の手順１を示すシーケンス
【図４】退場時の手順１を示すシーケンス
【図５】入場時の手順２を示すシーケンス
【図６】退場時の手順２を示すシーケンス
【図７】携帯電話機のブロック構成図
【符号の説明】
【００４５】
１．施設    ２．管理サーバ    ３．管理用端末    ４．無線ＬＡＮ
５．入場用ＲＦＩＤタグ    ６．マルチバンド携帯電話機
７．退場用ＲＦＩＤタグ    ８．無線ＬＡＮアクセスポイント
９．無線ＬＡＮインターフェース    １０．携帯電話基地局
１１．携帯電話無線インターフェース    １２．インターネット接続ゲートウェィ
１３．外部のネットワーク    １４．Ｗｅｂサーバ
【図１】
2009088946.tif 000003
【図２】
2009088946.tif 000004
【図３−１】
2009088946.tif 000005
【図３−２】
2009088946.tif 000006
【図４】
2009088946.tif 000007
【図５】
2009088946.tif 000008
【図６】
2009088946.tif 000009
【図７】
2009088946.tif 000010